(57)【特許請求の範囲】
【請求項１】
ロール状記録用紙に画情報を記録する一方、その記録用紙の画情報記録済部分を外部に排出する手段と、前記画情報の所定の区切り毎に前記記録用紙を裁断する手段と、外部に排出され裁断された画情報記録済記録用紙を堆積させて保持する記録紙トレイとを備えたファクシミリ装置において、
前記記録紙トレイは、排紙された前記画情報記録済記録用紙の記録紙幅両側縁部を覆って前記画情報記録済部分を案内する形状に形成されると共に、画情報の記録中には前記堆積した画情報記録済記録用紙の後端を押し上げ続けて、当該後端を前記記録紙トレイとで挟む一方、前記画情報の所定の区切り毎に前記記録紙トレイより下に下降する用紙並べ替え手段が設けられ、前記画情報記録済部分が常に前記堆積した画情報記録済記録用紙の最下面に排出されることを特徴とするファクシミリ装置。
【請求項２】
前記用紙並べ替え手段は、少なくとも前記画情報記録済部分を抱えこむ形状のレバーと、そのレバーに駆動力を伝達するワンウェイクラッチとから構成され、前記堆積した画情報記録済記録用紙の後端を押し上げ続けるときは、前記ワンウェイクラッチの緩み方向に駆動力が与えられ、前記記録紙トレイより下に下降するときは、前記ワンウェイクラッチの締まり方向に駆動力が与えられるものであることを特徴とする請求項１記載のファクシミリ装置。
【発明の詳細な説明】
【０００１】
【産業上の利用分野】
本発明は、ロール状記録用紙に画情報を記録する一方、その記録用紙の画情報記録済部分を外部に排出する手段と、前記画情報の所定の区切り毎に前記記録用紙を裁断する手段と、外部に排出され裁断された画情報記録済記録用紙（以下記録済用紙と略す）を堆積させて保持する記録紙トレイとを備えたファクシミリ装置に関する。
【０００２】
【従来の技術】
一般に、ロール状記録用紙に画情報を記録するファクシミリ装置は、図８に示めされるように、分離パッド２及び分離ローラ３に当接させて装置本体１上に載置された図示しない原稿を分離パッド２及び分離ローラ３により１枚ずつ分離搬送し、搬送されて通過していく原稿の画情報を原稿読み取り部４で読み取る。
【０００３】
この読み取られた画情報または回線を通して受信された画情報は、サーマルヘッド６により、プラテンローラ７の回転にしたがって繰り出されるロール状に巻かれた感熱記録紙５の記録面に記録される。そして、感熱記録紙５の画情報記録済み部分５ａは装置外部に排出される。排出された記録済み部分５ａは、１ページ分の画情報の記録が終了するとカッター８によって裁断分離される。裁断分離された記録済用紙は記録紙トレイ９上に積み重なる。
【０００４】
【発明が解決しようとする課題】
しかしながら、このような従来のファクシミリ装置では、次のような不都合を生じていた。
【０００５】
すなわち、裁断分離されてトレイ９上に積み重なるべき記録済用紙は、排出される直前までロール状に巻かれていたため、排出された後も、伸ばしたり縮めたりしたバネが元の状態に戻ろうとするのと同様に、元のロール状に戻ろうとする。そのため、排出された記録済用紙はトレイ９上に平たく積み重ならずに、湾曲したり（１０ｂ、１０ｃ）、丸く巻かれてトレイ９から落下したり（１０ｄ）、トレイ９上で丸く巻かれて（１０ａ）記録済み部分５ａの排出を阻害したりする。
【０００６】
このような状態になると、本来複写または受信した１ページ目が一番下になり、順に積み重なって、一番上が最終ページとなって、複写原稿または相手側の送信した原稿の順番とは逆順ではあるが、順序良く積み重なるべき記録済用紙がばらばらの状態となり、記録済用紙の並べ替えに大変手間がかかっていた。
【０００７】
また、ロール状に戻ってしまった記録済用紙は、その湾曲が取り除かれていないため、その湾曲を取り除いて平らにするのにも大変手間がかかっていた。
【０００８】
また、湾曲傾向にある記録済用紙は取り扱いにくく、整理するのに大変手間がかっていた。
【０００９】
また、ロール状に戻らずにトレイ９上に複写または受信した順番に積み重なったとしても、複写原稿または相手側の送信した原稿の順番とは逆順であるため、その逆順の記録済用紙を再び複写原稿または相手側の送信した原稿の順番に戻すのに大変手間がかかっていた。
【００１０】
かかる事情に鑑みてなされた本発明の第１の目的は、記録済用紙を複写または受信した順番にきちんと記録紙トレイ上に積み重なるようにすることである。また、本発明の第２の目的は、記録済用紙の湾曲を除去することである。また、本発明の第３の目的は、記録済用紙の整理を行ないやすくすことである。また、本発明の第４の目的は、記録済用紙を複写原稿または相手側の送信した原稿の順番通りに、つまり複写原稿または相手側の送信した原稿の１ページ目が一番上になるように、きちんと記録紙トレイ上に積み重なるようにすることである。
【００１１】
【課題を解決するための手段】
上記目的を達成するため、請求項１記載のファクシミリ装置は、ロール状記録用紙に画情報を記録する一方、その記録用紙の画情報記録済部分を外部に排出する手段と、前記画情報の所定の区切り毎に前記記録用紙を裁断する手段と、外部に排出され裁断された画情報記録済記録用紙を堆積させて保持する記録紙トレイとを備えたファクシミリ装置において、前記記録紙トレイは、排紙された前記画情報記録済記録用紙の記録紙幅両側縁部を覆って前記画情報記録済部分を案内する形状に形成されると共に、画情報の記録中には前記堆積した画情報記録済記録用紙の後端を押し上げ続けて、当該後端を前記記録紙トレイとで挟む一方、前記画情報の所定の区切り毎に前記記録紙トレイより下に下降する用紙並べ替え手段が設けられ、前記画情報記録済部分が常に前記堆積した画情報記録済記録用紙の最下面に排出されることを特徴とする。
【００１４】
また、請求項２記載のファクシミリ装置は、請求項１記載のファクシミリ装置において、前記用紙並べ替え手段は、少なくとも前記画情報記録済部分を抱えこむ形状のレバーと、そのレバーに駆動力を伝達するワンウェイクラッチとから構成され、前記堆積した画情報記録済記録用紙の後端を押し上げ続けるときは、前記ワンウェイクラッチの緩み方向に駆動力が与えられ、前記記録紙トレイより下に下降するときは、前記ワンウェイクラッチの締まり方向に駆動力が与えられるものであることを特徴とする。
【００１６】
【作用】
請求項１記載の構成によれば、用紙並べ替え手段が画情報の記録中には前記堆積した画情報記録済記録用紙の後端を押し上げ続けることにより、前記画情報記録済部分が前記堆積した記録済用紙の最下面に排出される一方、用紙並べ替え手段が前記画情報の所定の区切り毎に前記記録紙トレイより下に下降することにより、再び画情報の記録が始まれば、今排出された記録済用紙を含めて前記堆積した記録済用紙の後端を押し上げられる状態になる。したがって、記録済用紙は複写原稿または相手側の送信した原稿の順番通りに記録紙トレイ上に耳を揃えて、きちんと記録紙トレイ上に積み重なる。
【００２０】
また、請求項２記載の構成によれば、前記用紙並べ替え手段が、少なくとも前記画情報記録済部分を抱えこむ形状のレバーと、そのレバーに駆動力を伝達するワンウェイクラッチとから構成されるため、ワンウェイクラッチに与えられる駆動力が緩み方向のときは、与えられた駆動力のうちの一定量の駆動力だけがレバーに伝えられ、レバーは前記堆積した記録済用紙の後端を押し上げ続ける一方、ワンウェイクラッチに与えられる駆動力が締まり方向のときは、与えられた駆動力はすべてレバーに伝えられ、レバーは記録紙トレイより下に下降する。
【００２１】
【実施例】
以下、添付図面を参照しながら、本発明の実施例を詳細に説明する。なお、以下の説明において参照する図において、従来のファクシミリ装置を示す図８と同一部分および相当する部分には同一符号が付されている。
【００２２】
先ず、図１は本発明の第１の実施例にかかるファクシミリ装置を示している。
【００２３】
同図（ａ）において、ファクシミリ装置本体１に内蔵された、紙面の外側が記録面であるロール状感熱記録紙５は、その外周側の一端がプラテンローラ７とサーマルヘッド６とによって挾持されるとともにローラ７の回転によって繰り出される。そして、原稿読み取り部４で読み取られた画情報または相手側から受信した画情報は、サーマルヘッド６によって記録紙５の記録面に記録される。記録紙５のうちの画情報が記録済みの部分５ａは、記録紙５がローラ７によって繰り出されるのにしたがって記録紙トレイ９に沿って装置外部に排出されていく。そして、１ページ分の画情報の記録が終わるとカッター８によって記録済み部分５ａはロール状感熱記録紙５から切り離される。なお、ローラ７は、図示しないモータ等の駆動力源で駆動される。
【００２４】
ここで、装置本体１に取り付けられた記録紙トレイ９について図１（ｂ）を参照して説明する。トレイ９は、その側縁部９ａ及び９ｂが、排出される記録紙の側縁から上面にかけてを覆うように断面コの字形に形成されている。このトレイ９は、装置本体１に設けられた互いに平行する取付け溝１３及び１４に挿嵌されるトレイ取付け部材１１及び１２を介して装置本体１に取り付けられる。また、トレイ９には、取付け部９ｃ及び９ｄが形成されている。また、トレイ９は、既知のラックとピニオンを用いて、横幅が可変できる構成とされている。トレイ取付け部材１１及び１２には、それぞれの取付け部９ｃ及び９ｄと嵌合する溝１１ａ及び１２ａが設けられている。
【００２５】
取付け溝１３は、断面が細長い長方形の溝である。取付け溝１４は、その断面が、細長い長方形の長い方の２辺のうちの一辺に、円の弧とその弧の両端部を結んだ線分で構成されるいわゆる弓形を、その線分が前記２辺のうちの一辺と重なるように、一定間隔で並べた形状の溝である。
【００２６】
トレイ取付け部材１１及び１２は、それぞれ、取付け溝１３に密着してはまるように、取付け溝１３の幅と同程度の幅の断面長方形の部材１１ｃ及び１２ｃを備えている。また、トレイ取付け部材１１及び１２は、それぞれスナップ１１ｂ及び１２ｂを備えている。この両スナップの先端部は、取付け溝１４の一定間隔の弓形形状の側壁に、密着して接する形状とされている。ただし、両スナップは、取付け溝１４の一定間隔の弓形形状の側壁と対向する側壁とは接しないように所定の隙間が生じるように形成されている。
【００２７】
以上のように形成されるトレイ取付け部材１１及び１２は、取付け溝１３及び１４に深くはめこまれる。そして、はめこまれたままで両取付け溝の長手方向に両取り付け部材をスライドさせるために両部材にそれぞれ力を加えると、部材１１ｃ及び１２ｃは、取付け溝１３の側壁に密着してスライドし、スナップ１１ｂ及び１２ｂは、スライドさせようとする力により変形し、両スナップの先端部は、弓形形状の側壁との密着が解かれてスライドし、隣の弓形形状側壁に密着する。
【００２８】
このようにして、ロール状感熱記録紙５の幅に合わせて所定の位置に配置されたトレイ取付け部材１１及び１２に、それぞれ取付け部９ｃ及び９ｄが嵌合するように幅が調節されたトレイ９を取り付けることにより、トレイ９は、装置本体１にしっかりと取付けらける。
【００２９】
以上のようにして装置本体１に取付けらけたトレイ９の側縁部９ａ及び９ｂは、排出される記録済み部分５ａの側縁から上面にかけてを覆う格好になるため、記録済み部分５ａは、横方向にずれたり、上下方向に湾曲したりせず、記録済用紙はきちんとトレイ９内に収まる。また、堆積した記録済用紙の湾曲の傾向は互いに同様であるため、先に排出された記録済用紙が次の記録済用紙の排出を妨げることはなく、先の記録済用紙の上に、次の記録済用紙が排出される。
【００３０】
したがって、排出されてトレイ９に堆積した記録済用紙は互いに耳が揃うため取扱が容易になるばかりでなく、複写または受信した順番にきちんと積み重なる。また、記録済用紙をトレイ９内に納めたままでトレイ９をトレイ取付け部材１１及び１２から取り外して記録済用紙を持って行くべき場所にそのまま持って行けば、持って行く間に堆積した記録済用紙が乱雑になることもないため取扱が容易になる。また、側縁部９ａ及び９ｂは、記録済用紙の上下方向の湾曲を規制するため、トレイ９から記録済用紙が取りだされるまでの間に、湾曲しようとする記録済用紙の癖をある程度除去することができる。
【００３１】
なお、この第１の実施例では、記録紙トレイ９は、排出される記録紙の側縁から上面にかけてを覆うように、その側縁部９ａ及び９ｂを断面コの字形に形成したが、そのような形状に限られるものでないことはいうまでもない。例えば、側縁部９ａから側縁部９ｂに渡って記録済用紙をすのこ状に覆うように形成してもよい。また、側縁部９ａから側縁部９ｂの一面に渡って覆ってしまってもよいが、そうすると、記録済用紙に記録されている内容を一目で確認できなくなるため、その面を透明なものとすることも考えられる。
【００３２】
以上説明した第１の実施例によれば、記録済用紙をきちんとトレイ９上に積み重ねることができるとともに、記録済用紙の湾曲しようとする癖をある程度除去することができるが、次に説明する第２及び第３の実施例は、記録済用紙の紙面を押圧して、記録済用紙の湾曲しようとする癖をさらに十分に除去しようとするものである。
【００３３】
図２は、本発明の第２及び第３の実施例にかかるファクシミリ装置の記録紙トレイの一部分を示している。
【００３４】
同図において、トレイ９は第１の実施例で用いたものと同じであるが、本実施例では、トレイ９の側縁部９ａ及び９ｂに弾性部材としての板バネ１５を一定間隔で取り付けている。この板バネ１５は、トレイ９に接着される底面を備えた、くの字形の板バネである。このバネ１５は側縁部９ａ及び９ｂの下面または上面のいずれかに取り付けられるが同図には下面に取り付けられたものだけが示されている。また、そのくの字形に屈曲した部分は、板バネ１５が取付けらけた面と対向する面に、軽く当接させるか、近接させる。また、このバネ１５の復元力が強すぎると排出される記録済み部分５ａがそこにひっかかってしまうため、記録済用紙１０の湾曲しようとする復元力に抗することができる程度の復元力のものとされている。
【００３５】
ところで、湾曲した紙の湾曲しようとする癖をとるには、湾曲して生じた紙の凸部を上から押さえつけるのが効果的であるが、ロール状感熱記録紙５には、その紙面の外側が記録面であるものと、内側が記録面であるものとの二種類がある。
【００３６】
この記録面が外側か内側かにより、排出される用紙の湾曲の傾向は上下逆になるため、それに対応して板バネ１５の取付け方は、側縁部９ａ及び９ｂの上面に取付けるか、下面に取付けるかの２通りある。上面に取付けるものが第２の実施例であり、下面に取付けるものが第３の実施例である。
【００３７】
図３には、本発明の第２の実施例が示されている。同図（ａ）に示されるように、紙面の外側が記録面であるロール状感熱記録紙５は、プラテンローラ７により繰り出され、装置１の外部に記録済み部分５ａが排出される。この場合、排出された記録済用紙１０の湾曲は上側に凸になる傾向であるため、同図（ｂ）に示されるようにバネ１５は、それを押えつけるように、側縁部９ａ及び９ｂの上面に取り付けられる。
【００３８】
図４には、本発明の第３の実施例が示されている。同図（ａ）に示めされるように、紙面の内側が記録面であるロール状感熱記録紙５は、プラテンローラ７により繰り出され、装置１の外部に記録済み部分５ａが排出される。この場合、排出された記録済用紙１０の湾曲は下側に凸になる傾向であるため、同図（ｂ）に示めされるようにバネ１５は、それを押えつけるように、側縁部９ａ及び９ｂの下面に取り付けられる。
【００３９】
以上のように、第２及び第３の実施例では、記録済用紙１０の湾曲を除去するための板バネ１５を記録紙トレイ９に設けることにより、排出されて堆積する記録済用紙１０は、トレイ９内に納められている間ずっとバネ１５に押えつけられて湾曲は除去されるため、トレイ９から取り出した後の記録済用紙１０の取扱は非常に容易になる。
【００４０】
なお、第２及び第３の実施例では、湾曲して生じた紙の凸部を上から押さえつけるように、ロール状感熱記録紙５の種類に応じてバネ１５を側縁部９ａ及び９ｂの上面または下面に取り付けたが、湾曲して生じた紙の凸部を下から押さえつけるように、バネ１５を取り付けることによっても、記録済用紙１０の湾曲の除去は可能である。
【００４１】
また、記録紙トレイ９は、前述したように、その側縁部９ａ及び９ｂの形状が断面コの字形に限られるものではなく、例えば、側縁部９ａから側縁部９ｂに渡って記録済用紙をすのこ状に覆うように形成してもよし、側縁部９ａから側縁部９ｂの一面に渡って覆ってしまってもよい。その場合は、記録済用紙を覆う上面か、またはその上面に対向する下面にバネ１５を配置すれば記録済用紙の湾曲を除去できる。
【００４２】
次に、本発明の第４の実施例について説明する。この第４の実施例は、第１の実施例で用いたトレイ９の縁に切欠き部が形成されることにより、堆積した記録済用紙の整理が容易になるものである。
【００４３】
図５には、第４の実施例にかかる記録紙トレイ９が示されている。この記録紙トレイ９は、第１の実施例で用いたものの側縁部９ａに切欠き部９ｅ、９ｆ及び９ｇが設けらけたものである。
【００４４】
また、切欠き部が設けられたことにより、なにも手当しなければこの切欠き部に記録済み部分５ａの先端がひっかかることも考えられるため、それを防ぐために同図（ｂ）に示めされるように切欠き部の近辺に山形の凸部９ｈが設けられている。なお、図では、切欠き部９ｅの近辺に設けられた凸部９ｈが示されているが、切欠き部９ｆの近辺にも同様に凸部が設けらけている。この凸部９ｈより、記録済み部分５ａは切欠き部９ｅを避けて排出されため、途中でひっかかることもない。
【００４５】
以上のように形成される切欠き部９ｅ、９ｆは、いわゆるパンチ穴をあけるためのものであり、このふたつの切欠き部にパンチ穴をあける器具をあてがってパンチ穴をあけることができる。切欠き部９ｇは、ホッチキスで記録済用紙の端をとじるためのものである。もちろん、切欠き部９ｅ、９ｆの部分で記録済用紙をホッチキスでとじることもできる。
【００４６】
以上のように、第４の実施例によれば、トレイ９上に互いに耳を揃て堆積している記録済用紙に、そのままの状態でパンチ穴をあけることが可能となり、後にトレイ９から取りだしてファイルするときにも、パンチ穴が互いに揃っているため取扱が大変容易である。また、耳が揃った状態でホッチキスでとじることができるため、トレイ９から記録済用紙を取りだしてから耳を揃え直す手間が省けるため大変便利である。
【００４７】
なお、第４の実施例では、切欠き部はトレイ９の左側の側縁部に形成したが、必要に応じてその他の縁の部分に設けることができるのはいうまでもない。
【００４８】
次に本発明の第５の実施例について図６、７を参照して説明する。この第５の実施例は、排出される記録済み部分が堆積した記録済用紙の最下面に排出されるものである。
【００４９】
そのために、第５の実施例では、図６に示されるように、プラテンローラ７とカッター８との間に、カッター８の両側から、排出される記録済み部分を抱えこむ形状のレバー１５ａを備え、図７に示めされるように、そのレバー１５ａが一体に形成されたレバー軸１５は、螺旋バネをねじるとそのねじる方向によって緩んだり締まったりする性質を利用した、既知のワンウェイクラッチ１５ｂを介して、プラテンローラ７を駆動するプラテンローラギア７ａと歯合するレバー軸駆動ギア１５ｃによって駆動される。
【００５０】
また、トレイ９の底面のうち、上下動するレバー１５ａと干渉する部分は切欠かれている。また、レバー１５ａは、上昇した際に、側縁部９ａ及び９ｂの上面に係止される。
【００５１】
以上のように構成されるファクシミリ装置は、図６（ｂ）に示されるように、画情報の記録中には、プラテンローラギア７ａが時計方向に回転する。そのギア７ａと歯合しているレバー軸駆動ギア１５ｃは、反時計方向に回転する。この反時計方向の回転では、ワンウェイクラッチ１５ｂは緩み方向とされており、レバー軸１５には、空回りするワンウェイクラッチ１５ｂの内面とレバー軸１５の端部との摩擦に起因する所定の駆動力のみが伝達される。すなわち、画情報記録中には、レバー軸駆動ギア１５ｃは、反時計方向に空回りしつづけ、レバー１５ａは、一定の駆動力により堆積した記録済用紙１０の後端を押上げながら側縁部９ａ及び９ｂの上面に係止される。この状態で記録済み部分５ａは記録済用紙１０の下にもぐり込んで排出され、１ページ分の画情報の記録が終了するとカッター８によって記録済み部分５ａは、切り離される。
【００５２】
そして、次のページの画情報の記録が開始される前に、プラテンローラギア７ａは反時計方向に少し回転する。この反時計方向の回転は、レバー１５ａがトレイ９より下の待機位置１５ｂに下降するのに十分な回転量とされている。プラテンローラギア７ａの反時計方向の回転は、ワンウェイクラッチ１５ｂにとっては締まり方向の回転であるため空回りせず、レバー軸１５はレバー軸駆動ギア１５ｃと一体に回転する。つまり、レバー１５ａは、今切り離されたばかりの記録済用紙の後端を払いのけて、待機位置１５ｂまで下降し、次の記録すべき画情報があるときは、画情報の記録が再び開始され、再びレバー１５ａは今切り離されたばかりの記録済用紙を含めて堆積した記録済用紙１０の後端を押上げる。
【００５３】
以上のように、今記録された記録済用紙が直前に記録された記録済用紙の下になって積み重なるため、一番最初に記録した記録済用紙が一番上になり、一番最後に記録した記録済用紙が一番下になる。すなわち、記録済用紙は、複写原稿または相手側の送信した原稿の順番通りに記録紙トレイ９上に積み重なる。
【００５４】
なお、プラテンローラギア７ａが、レバー１５ａを待機位置１５ｂに下降させるために反時計方向に回転すると、ロール状感熱記録紙５の繰り出された部分が、たるむ状態となるが、その反時計方向の回転はわずかであるため悪影響はない。また、プラテンローラギア７ａの回転方向を変えるには、モータ等の駆動力源の回転方向を変えればよく、容易に実現できる。
【００５５】
また、第１ないし第５の実施例では、記録紙トレイ９は横幅が可変できる構成としたが、記録紙５の幅に合わせた幅に固定されたものでもよいのはいうまでもない。
【００５６】
【発明の効果】
請求項１に係る発明によれば、記録紙トレイが記録済用紙の側縁から上面にかけてを覆い前記画情報記録済部分を案内する形状であるため、記録済用紙は記録紙トレイ上に耳を揃えて記録された順番に積み重なり、記録済用紙をまとめて取り扱うのが容易になる。
また、用紙並べ替え手段が設けられているため、記録済用紙は記録紙トレイ上に耳を揃えて、複写原稿または相手側の送信した原稿の順番通りに上からきちんと記録紙トレイ上に積み重なり、宛先や発信者の名前など、一般に１ページ目に記載される重要な内容をいち早く確認できる。また、記録終了後に記録済用紙の順序を並べ替える手間が省ける。
【００５８】
また、請求項２に係る発明によれば、少なくとも前記画情報記録済部分を抱えこむ形状のレバーと、そのレバーに駆動力を伝達するワンウェイクラッチとによる簡易な構成の前記用紙並べ替え手段で、記録済用紙を複写原稿または相手側の送信した原稿の順番通りに記録紙トレイ上に耳を揃えて、きちんと記録紙トレイ上に積み重ねることができる。
【図面の簡単な説明】
【図１】本発明の第１の実施例を示す図である。
【図２】本発明の第２及び第３の実施例を示す図である。
【図３】本発明の第２の実施例を示す図である。
【図４】本発明の第３の実施例を示す図である。
【図５】本発明の第４の実施例を示す図である。
【図６】本発明の第５の実施例を示す図である。
【図７】図６と共に本発明の第５の実施例を示す図である。
【図８】従来のファクシミリ装置の構成及び作用を示す図である。
【符号の説明】
５  ロール状記録紙
６  サーマルヘッド
７  プラテンローラ
８  カッター
９  記録紙トレイ
１５ａ  レバー
１５ｂ  ワンウェイクラッチ
【図１】
0003608820.tif 000002
【図２】
0003608820.tif 000003
【図３】
0003608820.tif 000004
【図４】
0003608820.tif 000005
【図５】
0003608820.tif 000006
【図６】
0003608820.tif 000007
【図７】
0003608820.tif 000008
【図８】
0003608820.tif 000009